(57)【特許請求の範囲】
【請求項１】
モータの収容孔を形成した筒状のモータハウジングの端部に、前記モータハウジングと直交状にスピンドルを突出させた先端ハウジングを連結し、前記モータハウジングの側面に、前記スピンドルの突出側前方を照射可能な照明体を設けるとともに、前記モータハウジングの側面で前記スピンドルの突出側に、前記モータハウジング側への押し込み操作によってモータを駆動させるスイッチを前記モータハウジングよりも外方へ突設したアングルドリルであって、
前記モータハウジングの側面で前記スピンドルの突出側に、前記モータの収容孔よりも外方に位置して前記スイッチよりも外方へ突出する突起部を形成し、前記照明体を前記突起部内に設けるとともに、前記モータハウジングの側面で前記スピンドル突出側とは逆側の端部に、前記突起部と同方向へ略同程度突出する支持突起を設け、該支持突起と前記突起部とにより前記モータハウジングを支持可能としたことを特徴とするアングルドリル。
【請求項２】
突起部をモータハウジングから着脱可能とした請求項１に記載のアングルドリル。
【発明の詳細な説明】
【０００１】
【発明の属する技術分野】
本発明は、筒状のモータハウジングの端部に、モータハウジングと直交状にスピンドルを突出させた先端ハウジングを連結したアングルドリルに関する。
【０００２】
【従来の技術】
アングルドリルは、モータの収容孔を形成した筒状のモータハウジングの端部に、モータハウジングと直交状にスピンドルを突出させた先端ハウジングを連結し、モータハウジングの側面に、スピンドルの突出側前方を照射可能な照明体（ＬＥＤ等）を設けて、暗い場所でも支障なく作業を行えるようにしたものが知られている。この照明体は、モータハウジングの収容孔内のスペースを利用して、先端を除いてモータハウジングに埋没する格好で取り付けられている。
【０００３】
【発明が解決しようとする課題】
上記照明体の取付構造では、モータハウジングの収容孔内に照明体が突出するため、収容孔におけるモータのフィールドの取付場所に制限を受けたり、フィールドの交換等に伴うモータハウジングからの着脱の邪魔になったりする。
一方、同じアングルドリルでも照明体の有無によってモータハウジングの形状が変わってくるため、製造コストや管理の手間が増えることとなる。
【０００４】
そこで、請求項１に記載の発明は、モータの取付場所や着脱に影響を与えることなく照明体を付与できるアングルドリルを提供することを目的としたものである。
【０００５】
【課題を解決するための手段】
上記目的を達成するために、請求項１に記載の発明は、モータの収容孔を形成した筒状のモータハウジングの端部に、前記モータハウジングと直交状にスピンドルを突出させた先端ハウジングを連結し、前記モータハウジングの側面に、前記スピンドルの突出側前方を照射可能な照明体を設けるとともに、前記モータハウジングの側面で前記スピンドルの突出側に、前記モータハウジング側への押し込み操作によってモータを駆動させるスイッチを前記モータハウジングよりも外方へ突設したアングルドリルであって、前記モータハウジングの側面で前記スピンドルの突出側に、前記モータの収容孔よりも外方に位置して前記スイッチよりも外方へ突出する突起部を形成し、前記照明体を前記突起部内に設けるとともに、前記モータハウジングの側面で前記スピンドル突出側とは逆側の端部に、前記突起部と同方向へ略同程度突出する支持突起を設け、該支持突起と前記突起部とにより前記モータハウジングを支持可能としたことを特徴とするものである。
請求項２に記載の発明は、請求項１の目的に加えて、照明体の有無にかかわらずモータハウジングの共用を可能とするために、突起部をモータハウジングから着脱可能としたものである。
【０００６】
【発明の実施の形態】
以下、本発明の実施の形態を図面に基づいて説明する。
図１は、アングルドリルの全体図で、アングルドリル１は、フィールド３とアーマチュア４とからなるモータ２を収容した筒状のモータハウジング６の前方（図１の右側）に、アーマチュア４の出力軸５を軸支するギヤハウジングカバー７を組み付け、モータハウジング６の前端に先端ハウジングとしてのギヤハウジング８をネジ止めすることで、ギヤハウジングカバー７とギヤハウジング８とがモータハウジング６と一体化される。９は出力軸５に固着されたファンである。また、ギヤハウジングカバー７内では、後端に設けたギヤ１０を出力軸５と噛合させた中間シャフト１１が出力軸５と平行に軸支され、ギヤハウジング８内では、中間シャフト１１と図示しないベベルギヤを介して噛合し、下端にチャックを備えたスピンドル１２が直交状に軸支されて、ギヤハウジング８の下方へ突出している。１３はモータ２を駆動させるパドルスイッチ、１４は、モータハウジング６の後端で下方側に、パドルスイッチ１３の突出量と略同じ寸法で突設される支持突起である。
【０００７】
一方、モータハウジング６の下面には、図２，３にも示すように、前端から後方に向けて切欠き１５が形成されており、その切欠き１５に、ライトユニット１６が装着されている。このライトユニット１６は、図４にも示すように、前端表面側に突起部１７を突設し、裏面全体を、モータハウジング６におけるフィールド３の収容孔１８に合致する凹曲面１６ａに形成した板状体で、両側面には、前後方向に一対の凹溝１９，１９が凹設されて、切欠き１５の両サイドに突設された突条２０，２０に嵌合可能となっている。なお、突起部１７も支持突起１４と同様に、パドルスイッチ１３の突出量と略同じ寸法で下方へ突設されている。
【０００８】
そして、ライトユニット１６には、照明体としてのＬＥＤ２１，２１が設けられている。このＬＥＤ２１，２１は、突起部１７内の左右に配置され、そのリード線２２は、ライトユニット１６の片側で凹溝１９に沿って前後方向に凹設された案内溝２３を通して後方へ引き回される。よって、突起部１７におけるＬＥＤ２１，２１の照明側前方は、透明部１７ａとなっている。
又、ライトユニット１６の後方には、リード線２２がフィールド３と接触しないように、全長に亘って案内溝２３を有して後方へ伸びる保護部２４が延設され、モータハウジング６の収容孔１８の内面には、切欠き１５と連続し、保護部２４が遊挿可能な溝２５が凹設されている。なお、リード線２２は、保護部２４を通った後、図示しないコネクタによってモータ２の駆動回路と電気的接続されて、パドルスイッチ１３の操作に伴うモータ２の駆動と同時に点灯可能となっている。
【０００９】
以上の如く構成されたアングルドリル１においては、ライトユニット１６を、凹溝１９と突条２０との位置を合わせてモータハウジング６の前方から切欠き１５内に差し込むと、ライトユニット１６は切欠き１５内に装着される。この装着状態でギヤハウジングカバー７及びギヤハウジング８を組み付けると、ライトユニット１６は、前端をギヤハウジング８に抑えられて前方へ抜け止めされた状態で固定される。ここでパドルスイッチ１３を押し操作すると、モータ２が駆動して出力軸５が回転し、中間シャフト１１を介してスピンドル１２が回転し、チャックに装着したビットが回転すると共に、ＬＥＤ２１，２１が点灯する。ＬＥＤ２１，２１は、ライトユニット１６の差し込み装着状態でスピンドル１２の突出側前方を向くように突起部１７内に収容されているため、ビットの先端が照射され、暗い場所でも支障なく作業をすることができる。
【００１０】
そして、修理や交換等のためにモータ２のフィールド３を取り外す必要が生じた場合、ギヤハウジングカバー７とギヤハウジング８とをモータハウジング６から取り外せば、収容孔１８が開放するため、そのままフィールド３を収容孔１８から前方へ抜き外すことができる。ライトユニット１６は、収容孔１８と干渉しない形状でモータハウジング６の切欠き１５内に装着されているから、ライトユニット１６は取り外す必要は生じない。
【００１１】
一方、図１に示すように、アングルドリル１をパドルスイッチ１３を下にして平面上に置いた場合には、略同じ高さで下方に突出する支持突起１４と突起部１７とにより、アングルドリル１はその姿勢のまま支持可能となる。ここで、支持突起１４と突起部１７との突出量の設定により、パドルスイッチ１３は、支持突起１４先端と突起部１７先端とを結ぶ線Ｌより下方へは突出しない。よって、アングルドリル１を置いた際にパドルスイッチ１３が誤って押し込まれるおそれがなくなる。
また、照明が不要な場合は、図５のように、ＬＥＤ等の照明体やリード線の保護部を除いてライトユニット１６と同形状で、収容孔１８と合致する凹曲面２６ａを有する第２ユニット２６を切欠き１５に装着するようにすれば、上述のようなパドルスイッチ１３の誤操作は同様に防止できる。
【００１２】
このように上記形態のアングルドリル１によれば、モータハウジング６の側面でスピンドル１２の突出側に、モータ２の収容孔１８より外方に位置する突起部１７を形成し、ＬＥＤ２１，２１を突起部１７内に設けたことで、ＬＥＤ２１，２１がモータ２の取付場所を制約したり、修理や交換等に伴うモータ２の着脱の邪魔になったりすることがなくなる。また、突起部１７にＬＥＤ２１，２１が収容されているので、作業者の手等に邪魔されずに確実に作業箇所の照明が可能となる。
また、突起部１７をパドルスイッチ１３よりも外方へ突出させるようにしているから、アングルドリル１を水平面に置いた際にパドルスイッチ１３が誤操作されることがなくなる。
さらに、突起部１７をライトユニット１６に設けてモータハウジング６から着脱可能としているから、照明が不要な場合はライトユニット１６のみを交換することでモータハウジング６の共用が可能となり、コスト面で有利となる。
【００１３】
なお、照明体はＬＥＤに限らず、電球等を採用して差し支えない。また、上記形態ではライトユニットをモータハウジングに対して着脱可能としているが、モータハウジングと一体化した構造とすることもできる。その他、ライトユニットの装着構造も、上記形態のように凹溝と突条とを利用して前方から差し込む構造とすると、着脱が容易で、ギヤハウジングの装着と同時に抜け止めされる合理的な構造となるが、この構造に限らず、凹凸による下面からの嵌め合い構造としたり、ネジ止め構造としたり等の設計変更は可能である。
【００１４】
【発明の効果】
請求項１に記載の発明によれば、モータハウジングの側面でスピンドルの突出側に、モータの収容孔よりも外方に位置する突起部を形成し、照明体を突起部内に設けたことで、照明体がモータの取付場所を制約したり、修理や交換等に伴うモータの着脱の邪魔になったりすることがなくなる。また、突起部に照明体が収容されているので、作業者の手等に邪魔されずに確実に作業箇所の照明が可能となる。
また、突起部を少なくともスイッチよりも外方へ突出させるとともに、モータハウジングの側面でスピンドル突出側とは逆側の端部に、突起部と同方向へ略同程度突出する支持突起を設けているため、アングルドリルを水平面に置いた際にスイッチが誤操作されることがなくなる。
請求項２に記載の発明によれば、請求項１の効果に加えて、突起部をモータハウジングから着脱可能としたことで、照明が不要な場合は突起部のみを交換することでモータハウジングの共用が可能となり、コスト面で有利となる。
【図面の簡単な説明】
【図１】アングルドリルの全体図である。
【図２】モータハウジングの前端部分の断面説明図である（ギヤハウジングカバーは省略）。
【図３】モータハウジングのモータ部分の断面説明図である。
【図４】ライトユニットの側面図である。
【図５】（Ａ）第２ユニットの側面図である。
（Ｂ）第２ユニットの正面図である。
【符号の説明】
１・・アングルドリル、２・・モータ、３・・フィールド、６・・モータハウジング、７・・ギヤハウジングカバー、８・・ギヤハウジング、１２・・スピンドル、１３・・パドルスイッチ、１４・・支持突起、１５・・切欠き、１６・・ライトユニット、１７・・突起部、１８・・収容孔、２１・・ＬＥＤ。
【図１】
0003980900.tif 000002
【図２】
0003980900.tif 000003
【図３】
0003980900.tif 000004
【図４】
0003980900.tif 000005
【図５】
0003980900.tif 000006